(57)【要約】【課題】  プラグ端子のフォールディング及びアンフォールディング作動が簡単で使用に便利であるだけでなく、プラグ端子のアンフォールディング状態が堅固に維持されて製品に対する信頼性を向上し得る電源連結装置を提供する。【解決手段】  中間に挿入ホールが形成されて、挿入ホールの内周に複数個の端子収容溝が延長形成される第１ケースと、第１ケースと結合されてその内部に収容空間を形成し、挿入ホールと対応するように内面にボス部が突出形成される第２ケースと、第１ケースの挿入ホールの内部に回転可能に設置され、各端子収容溝と対応するように両側にスロットが形成される回動部材と、印刷回路基板に接続するように第２ケースのボス部に設置される接続板と、回動部材に回動可能に設置されて、一方端は接続板に接触し、他方端は第１ケースの挿入ホールを貫通して第１ケースの外部に露出されるプラグ端子組立体とを含んで構成される電源連結装置。【選択図】  図１
2006032351.tif 000002
【特許請求の範囲】
【請求項１】
中間に挿入ホールが形成されて、該挿入ホールの内周に複数個の端子収容溝が延長形成される第１ケースと、
該第１ケースと結合されて、その内部に収容空間を形成し、前記挿入ホールと対応するように内面にボス部が突出形成される第２ケースと、
前記第１ケースの挿入ホールの内部に回転可能に設置され、前記各端子収容溝と対応するように両側にスロットが形成される回動部材と、
印刷回路基板に接続するように前記第２ケースのボス部に設置される接続板と、
前記回動部材に回動可能に設置されて、一方端は前記接続板に接触し、他方端は前記第１ケースの挿入ホールを貫通して前記第１ケースの外部に露出されるプラグ端子組立体と、を含んで構成されることを特徴とする電源連結装置。
【請求項２】
前記端子収容溝にフィンガー挿入溝が形成されることを特徴とする請求項１記載の電源連結装置。
【請求項３】
前記プラグ端子組立体は、前記回動部材の各スロットを貫通して挿し込まれる各端子と、
各端子を連結して前記回動部材の軸溝に回動可能に係止される絶縁体の軸と、から成ることを特徴とする請求項１記載の電源連結装置。
【請求項４】
前記軸の中間には溝が形成されて、該溝と対応するように前記回動部材には突起が形成されることを特徴とする請求項３記載の電源連結装置。
【請求項５】
前記各端子の先端に第１接続突起が形成されて、該第１接続突起と対応するように前記接続板には第２接続突起が形成されることを特徴とする請求項３記載の電源連結装置。
【請求項６】
前記プラグ端子組立体のアンフォールディング状態で、前記端子の第１接続突起が前記第２接続突起に接触することを特徴とする請求項５記載の電源連結装置。
【請求項７】
前記プラグ端子組立体のアンフォールディング状態で、前記端子の先端は、前記第１ケースの挿入ホールを貫通して前記第１ケースの外部に露出されて、前記プラグ端子組立体のフォールディング状態で、前記端子の先端は前記第１ケースの前記端子収容溝に挿入されることを特徴とする請求項５記載の電源連結装置。
【請求項８】
前記回動部材の回動角を制限し得るように前記挿入ホールと隣接する前記第１ケースの内面には係止溝が形成されて、該係止溝と対応するように前記回動部材の外周面にはストッパーが形成されることを特徴とする請求項１記載の電源連結装置。
【請求項９】
前記回動部材の外周には、フランジが形成されることを特徴とする請求項１記載の電源連結装置。
【請求項１０】
前記プラグ端子組立体のフォールディング状態で、前記回動部材の回動により該回動部材の各スロットと前記第１ケースの各端子収容溝は一直線に整列することを特徴とする請求項１記載の電源連結装置。
【請求項１１】
中間に挿入ホールが形成されて、該挿入ホールの内周に複数個の端子収容溝が延長形成される第１ケースと、
該第１ケースと結合されて、その内部に収容空間を形成し、前記挿入ホールと対応するように内面に環状のボス部が突出形成される第２ケースと、
前記第１ケースの挿入ホールの内部に回転可能に設置されて、前記各端子収容溝と対応するように両側にスロットが形成される回動部材と、
印刷回路基板に接続するように前記第２ケースのボス部の両側に設置される接続板と、
前記回動部材に挿し込まれて設置されて、一方端は前記接続板に接触され、他方端は前記第１ケースの挿入ホールを貫通して前記第１ケースの外部に露出されるプラグ端子組立体と、
該プラグ端子組立体を回転可能に支持し得るように前記ボス部の内部に設置される端子支持部材と、を含んで構成されることを特徴とする電源連結装置。
【請求項１２】
前記端子収容溝にフィンガー挿入溝が形成されることを特徴とする請求項１１記載の電源連結装置。
【請求項１３】
前記プラグ端子組立体は、
前記回動部材の各スロットを貫通して挿し込まれる各端子と、
各端子を連結する絶縁体の軸と、から成ることを特徴とする請求項１１記載の電源連結装置。
【請求項１４】
前記各端子の先端に第１接続突起が形成されて、該第１接続突起と対応するように前記接続板には、第２接続突起が形成されることを特徴とする請求項１３記載の電源連結装置。
【請求項１５】
前記プラグ端子組立体のアンフォールディング状態で、前記端子の第１接続突起が前記第２接続突起に接触することを特徴とする請求項１４記載の電源連結装置。
【請求項１６】
前記ボス部のセンターには軸が形成されて、該軸に対応するように前記端子支持部材のセンターには軸ホールが形成されて、前記端子支持部材の両側には、前記プラグ端子組立体の軸が締結される締結リングが形成されることを特徴とする請求項１１記載の電源連結装置。
【請求項１７】
前記プラグ端子組立体のアンフォールディング状態で、前記端子の先端は、前記第１ケースの挿入ホールを貫通して前記第１ケースの外部に露出されて、前記プラグ端子組立体のフォールディング状態で、前記端子の先端は、前記第１ケースの前記端子収容溝に挿入されることを特徴とする請求項１１記載の電源連結装置。
【請求項１８】
前記回動部材の回動角を制限し得るように前記挿入ホールと隣接する前記第１ケースの内面には係止溝が形成され、該係止溝と対応するように前記回動部材の外周面にはストッパーが形成されることを特徴とする請求項１１記載の電源連結装置。
【請求項１９】
前記プラグ端子組立体のフォールディング状態で、前記回動部材の回動により該回動部材の各スロットと前記第１ケースの各端子収容溝は一直線に整列することを特徴とする請求項１１記載の電源連結装置。
【請求項２０】
前記ボス部には、前記プラグ端子組立体のアンフォールディング状態を支持する支持部が形成されることを特徴とする請求項１１記載の電源連結装置。
【発明の詳細な説明】
【技術分野】
【０００１】
本発明は、電源連結装置に係るもので、詳しくは、プラグ端子のフォールディング及びアンフォールディング作動構造が改善された電源連結装置に関するものである。
【背景技術】
【０００２】
一般に、高い電圧を低い電圧に転換させるアダプター（Ａｄａｐｔｏｒ）や移動通信端末機の充電器のような電源連結装置は、小型カセットや移動通信端末機などを電源部に連結させたり充電させる役割を果たす。
【０００３】
このような電源連結装置の端部には、電源部に挿し込まれるプラグ端子が備えられている。
【０００４】
電源連結装置は、プラグ端子のフォールディングが可能が否かによって、固定式とフォールディング式に分けられるが、以下、フォールディング式電源連結装置について説明する。
【０００５】
図９は、従来の電源連結装置を示した斜視図で、図１０は、従来の電源連結装置を示した縦断面図である。
【０００６】
従来の電源連結装置２０においては、図９に示したように、ケース２１と、該ケース２１の前面にヒンジ部２２ａを中心に回転可能に設置されるプラグ端子２２と、前記ケース２１の内部に備えられて前記プラグ端子２２から供給される高い電圧を低い電圧に変換させる回路基板２３と、該回路基板２３と通電可能に連結されて、前記ケース２１の外部に引出される出力端子２４と、を含んで構成されていた。
【０００７】
そして、前記プラグ端子２２がフォールディングされる時、これを収容し得るように前記ケース２１には、一定の深さにプラグ収容溝２５が形成されている。なお、符号Ｃは電源部を示す。
【発明の開示】
【発明が解決しようとする課題】
【０００８】
しかしながら、このような従来の電源連結装置においては、長時間の使用によってプラグ端子のヒンジ部がゆるくなる場合、プラグ端子が任意に（ｒａｎｄｏｍ）回動されて反り返るために、使用者がプラグ端子を電源部に挿し込む時、非常に不便であるという問題があった。
【０００９】
従って、本発明は、プラグ端子のフォールディング及びアンフォールディング作動が簡単で使用に便利、かつ、プラグ端子のアンフォールディング状態が堅固に維持されて製品に対する信頼性を向上し得る電源連結装置を提供することを目的とする。
【課題を解決するための手段】
【００１０】
このような目的を達成するために、本発明に係る第一実施形態の電源連結装置においては、中間に挿入ホールが形成され、該挿入ホールの内周に複数個の端子収容溝が延長形成される第１ケースと、該第１ケースと結合されてその内部に収容空間を形成し、挿入ホールと対応するように内面にボス部が突出形成される第２ケースと、前記第１ケースの挿入ホールの内部に回転可能に設置され、各端子収容溝と対応するように両側にスロットが形成される回動部材と、印刷回路基板に接続するように前記第２ケースのボス部に設置される接続板と、回動部材に回動可能に設置され、一方端は接続板に接触し、他方端は前記第１ケースの挿入ホールを貫通して第１ケースの外部に露出されるプラグ端子組立体と、を含んで構成されることを特徴とする。
【００１１】
プラグ端子組立体は、回動部材の各スロットを貫通して挿し込まれる各端子と、各端子を連結して回動部材の軸溝に回動可能に係止される絶縁体の軸と、から成ることを特徴とする。
【００１２】
軸の中間には溝が形成され、溝と対応するように回動部材には突起が形成されることが好ましい。
【００１３】
各端子の先端に第１接続突起が形成され、該第１接続突起と対応するように接続板には第２接続突起が形成されている。
【００１４】
回動部材の回動角を制限し得るように挿入ホールと隣接する第１ケースの内面には係止溝が形成され、該係止溝と対応するように回動部材の外周面にはストッパーが形成されることが好ましい。
【００１５】
本発明の他の実施形態に係る電源連結装置においては、中間に挿入ホールが形成されて、該挿入ホールの内周に複数個の端子収容溝が延長形成される第１ケースと、該第１ケースと結合されて、その内部に収容空間を形成し、前記挿入ホールと対応されるように内面に環状のボス部が突出形成される第２ケースと、前記第１ケースの挿入ホールの内部に回転可能に設置され、各端子収容溝と対応するように両側にスロットが形成される回動部材と、印刷回路基板に接続するように前記第２ケースのボス部の両側に設置される接続板と、回動部材に挟まれて設置され、一方端は接続板に接触し、他方端は前記第１ケースの挿入ホールを貫通して第１ケースの外部に露出されるプラグ端子組立体と、該プラグ端子組立体を回転可能に支持できるようにボス部の内部に設置される端子支持部材と、を含んで構成されることを特徴とする。
【００１６】
また、前記プラグ端子組立体は、回動部材の各スロットを貫通して挿し込まれる各端子と、各端子を連結する絶縁体の軸と、から成ることを特徴とする。
【００１７】
また、各端子の先端に第１接続突起が形成され、該第１接続突起と対応するように接続板には第２接続突起が形成されることを特徴とする。
【００１８】
また、前記ボス部のセンターには軸が形成され、該軸に対応するように端子支持部のセンターには軸ホールが形成されて、端子支持部の両側には、プラグ端子組立体の軸が締結される締結リングが形成されることを特徴とする。
【００１９】
また、前記プラグ端子組立体のアンフォールディング状態で、各端子の先端は、前記第１ケースの挿入ホールを貫通して該第１ケースの外部に露出され、プラグ端子組立体のフォールディング状態で、各端子の先端は、前記第１ケースの端子収容溝に挿入されることを特徴とする。
【００２０】
また、回動部材の回動角を制限し得るように挿入ホールと隣接する第１ケースの内面には係止溝が形成され、係止溝と対応するように回動部材の外周面にはストッパーが形成されることが好ましい。
【００２１】
また、前記プラグ端子組立体のフォールディング状態で、回動部材の回動により回動部材の各スロットと第１ケースの各端子収容溝は、一直線に整列することを特徴とする。
【００２２】
また、ボス部には、前記プラグ端子組立体のアンフォールディング状態を支持する支持部が形成されていることを特徴とする。
【００２３】
上記目的を達成するために、本発明は、例えば、以下の手段を提供する。
（項目１）
中間に挿入ホールが形成されて、該挿入ホールの内周に複数個の端子収容溝が延長形成される第１ケースと、
該第１ケースと結合されて、その内部に収容空間を形成し、前記挿入ホールと対応するように内面にボス部が突出形成される第２ケースと、
前記第１ケースの挿入ホールの内部に回転可能に設置され、前記各端子収容溝と対応するように両側にスロットが形成される回動部材と、
印刷回路基板に接続するように前記第２ケースのボス部に設置される接続板と、
前記回動部材に回動可能に設置されて、一方端は前記接続板に接触し、他方端は前記第１ケースの挿入ホールを貫通して前記第１ケースの外部に露出されるプラグ端子組立体と、を含んで構成されることを特徴とする電源連結装置。
（項目２）
前記端子収容溝にフィンガー挿入溝が形成されることを特徴とする項目１記載の電源連結装置。
（項目３）
前記プラグ端子組立体は、前記回動部材の各スロットを貫通して挿し込まれる各端子と、
各端子を連結して前記回動部材の軸溝に回動可能に係止される絶縁体の軸と、から成ることを特徴とする項目１記載の電源連結装置。
（項目４）
前記軸の中間には溝が形成されて、該溝と対応するように前記回動部材には突起が形成されることを特徴とする項目３記載の電源連結装置。
（項目５）
前記各端子の先端に第１接続突起が形成されて、該第１接続突起と対応するように前記接続板には第２接続突起が形成されることを特徴とする項目３記載の電源連結装置。
（項目６）
前記プラグ端子組立体のアンフォールディング状態で、前記端子の第１接続突起が前記第２接続突起に接触することを特徴とする項目５記載の電源連結装置。
（項目７）
前記プラグ端子組立体のアンフォールディング状態で、前記端子の先端は、前記第１ケースの挿入ホールを貫通して前記第１ケースの外部に露出されて、前記プラグ端子組立体のフォールディング状態で、前記端子の先端は前記第１ケースの前記端子収容溝に挿入されることを特徴とする項目５記載の電源連結装置。
（項目８）
前記回動部材の回動角を制限し得るように前記挿入ホールと隣接する前記第１ケースの内面には係止溝が形成されて、該係止溝と対応するように前記回動部材の外周面にはストッパーが形成されることを特徴とする項目１記載の電源連結装置。
（項目９）
前記回動部材の外周には、フランジが形成されることを特徴とする項目１記載の電源連結装置。
（項目１０）
前記プラグ端子組立体のフォールディング状態で、前記回動部材の回動により該回動部材の各スロットと前記第１ケースの各端子収容溝は一直線に整列することを特徴とする項目１記載の電源連結装置。
（項目１１）
中間に挿入ホールが形成されて、該挿入ホールの内周に複数個の端子収容溝が延長形成される第１ケースと、
該第１ケースと結合されて、その内部に収容空間を形成し、前記挿入ホールと対応するように内面に環状のボス部が突出形成される第２ケースと、
前記第１ケースの挿入ホールの内部に回転可能に設置されて、前記各端子収容溝と対応するように両側にスロットが形成される回動部材と、
印刷回路基板に接続するように前記第２ケースのボス部の両側に設置される接続板と、
前記回動部材に挿し込まれて設置されて、一方端は前記接続板に接触され、他方端は前記第１ケースの挿入ホールを貫通して前記第１ケースの外部に露出されるプラグ端子組立体と、
該プラグ端子組立体を回転可能に支持し得るように前記ボス部の内部に設置される端子支持部材と、を含んで構成されることを特徴とする電源連結装置。
（項目１２）
前記端子収容溝にフィンガー挿入溝が形成されることを特徴とする項目１１記載の電源連結装置。
（項目１３）
前記プラグ端子組立体は、
前記回動部材の各スロットを貫通して挿し込まれる各端子と、
各端子を連結する絶縁体の軸と、から成ることを特徴とする項目１１記載の電源連結装置。
（項目１４）
前記各端子の先端に第１接続突起が形成されて、該第１接続突起と対応するように前記接続板には、第２接続突起が形成されることを特徴とする項目１３記載の電源連結装置。
（項目１５）
前記プラグ端子組立体のアンフォールディング状態で、前記端子の第１接続突起が前記第２接続突起に接触することを特徴とする項目１４記載の電源連結装置。
（項目１６）
前記ボス部のセンターには軸が形成されて、該軸に対応するように前記端子支持部材のセンターには軸ホールが形成されて、前記端子支持部材の両側には、前記プラグ端子組立体の軸が締結される締結リングが形成されることを特徴とする項目１１記載の電源連結装置。
（項目１７）
前記プラグ端子組立体のアンフォールディング状態で、前記端子の先端は、前記第１ケースの挿入ホールを貫通して前記第１ケースの外部に露出されて、前記プラグ端子組立体のフォールディング状態で、前記端子の先端は、前記第１ケースの前記端子収容溝に挿入されることを特徴とする項目１１記載の電源連結装置。
（項目１８）
前記回動部材の回動角を制限し得るように前記挿入ホールと隣接する前記第１ケースの内面には係止溝が形成され、該係止溝と対応するように前記回動部材の外周面にはストッパーが形成されることを特徴とする項目１１記載の電源連結装置。
（項目１９）
前記プラグ端子組立体のフォールディング状態で、前記回動部材の回動により該回動部材の各スロットと前記第１ケースの各端子収容溝は一直線に整列することを特徴とする項目１１記載の電源連結装置。
（項目２０）
前記ボス部には、前記プラグ端子組立体のアンフォールディング状態を支持する支持部が形成されることを特徴とする項目１１記載の電源連結装置。
【発明の効果】
【００２４】
本発明に係る電源連結装置においては、プラグ端子のフォールディング及びアンフォールディング作動に簡単で、かつ、プラグ端子のアンフォールディング状態が堅固に維持されるため、使用が便利で、製品に対する信頼性を向上し得るという効果がある。
【発明を実施するための最良の形態】
【００２５】
以下、本発明に係る電源連結装置の好ましい実施形態について図面を用いて説明する。
【００２６】
図１は、本発明の第一実施形態に係る電源連結装置を示した斜視図で、図２は、本発明の第一実施形態に係る電源連結装置を示した分離斜視図で、図３は、図１のＩ−Ｉ線断面図で、図４は、本発明の第一実施形態に係る電源連結装置において、プラグ端子組立体のフォールディング／アンフォールディング状態を示した拡大斜視図である。
【００２７】
本発明の一実施形態に係る電源連結装置１００においては、図１〜図４に示したように、中間に挿入ホール１１１が形成され、該挿入ホール１１１の内周に複数個の端子収容溝１１２が延長形成される第１ケース１１０と、該第１ケース１１０と結合されて、その内部に収容空間１２１を形成し、前記挿入ホール１１１と対応するように内面にボス部１２２が突出形成される第２ケース１２０と、前記第１ケース１１０の挿入ホール１１１の内部に回転可能に設置され、各端子収容溝１１２と対応するように両側にスロット（Ｓｌｏｔ）１３１が形成される回動部材１３０と、印刷回路基板１６０に接続するように前記第２ケース１２０のボス部１２２に設置される接続板１４０と、回動部材１３０に回動可能に設置され、一方端は接続板１４０に接触され、他方端は前記第１ケース１１０の挿入ホール１１１を貫通して第１ケース１１０の外部に露出されるプラグ端子組立体１５０と、を含んで構成されている。
【００２８】
使用者が前記プラグ端子組立体１５０を便利にフォールディング（Ｆｏｌｄｉｎｇ）又はアンフォールディング（Ｕｎ−Ｆｏｌｄｉｎｇ）作動し得るように前記端子収容溝１１１にフィンガー挿入溝１１３が形成されることが好ましい。ここで、該フィンガー挿入溝１１３の幅は、使用者の指が入る程度の直径、例えば約１０ｍｍにすることが好ましい。
【００２９】
また、前記回動部材１３０の構造について説明すると、該回動部材１３０が前記挿入ホール１１１に挿合された状態で前記第１ケース１１０の外部に抜けないように前記回動部材１３０の外周にはフランジ１３３が形成されている。
【００３０】
使用者がプラグ端子組立体１５０のフォールディング又はアンフォールディング作動のために前記回動部材１３０を回転させる時、該回動部材１３０の回動角を制限し得るように、即ち、該回動部材１３０を所定角度だけ回動させ得るように前記挿入ホール１１１と隣接する第１ケース１１０の内面に係止溝１１４が形成されていて、該係止溝１１４と対応するように前記回動部材１３０の外周面にストッパー１３４が形成されている。
【００３１】
また、前記プラグ端子組立体１５０は、前記回動部材１３０の各スロット１３１を貫通して挿し込まれる二つの端子である第１端子１５１、第２端子１５２と、該第１端子１５１と第２端子１５２とを連結して前記回動部材１３０の軸溝１３２に回動可能に係止される絶縁体の軸１５３と、から成る。
【００３２】
また、該軸１５３の中間には溝１５４が形成されて、該溝１５４と対応するように前記回動部材１３０には突起１５５が形成されている。（図３参考）ここで、前記溝１５４と該溝１５４に係止される突起１５５とは、プラグ端子組立体１５０のアンフォールディング状態で係止されるようになり、前記プラグ端子組立体１５０が揺れることなく、堅固にアンフォールディングされた状態を維持するようにする役割を果たす。
【００３３】
また、前記第１端子１５１、第２端子１５２の先端に第１接続突起１５６が形成されて、第１接続突起１５６と対応するように前記接続板１４０には第２接続突起１４１が突出形成されている。
【００３４】
また、前記プラグ端子組立体１５０のアンフォールディング状態で、前記第１端子１５１、第２端子１５２の前記第１接続突起１５６が前記第２接続突起１４１に接触され、かつ、前記プラグ端子組立体１５０の第１端子１５１、第２端子１５２の先端部が前記第１ケース１１０の挿入ホール１１１を貫通して前記第１ケース１１０の外部に露出されている。
【００３５】
反面、前記プラグ端子組立体１５０のフォールディング状態では、前記第１端子１５１、第２端子１５２の第１接続突起１５６が前記第２接続突起１４１に非接触し、前記第１端子１５１、第２端子１５２の先端部が前記第１ケース１１０の端子収容溝１１２に挿入されている。
【００３６】
また、使用者が前記回動部材１３０を回動させることで、該回動部材１３０の各スロット１３１と第１ケース１１０の各端子収容溝１１２は選択的に一直線に整列し、この時、前記プラグ端子組立体１５０のフォールディングが可能になる。
【００３７】
以下、図１〜図４を参照して本発明の第一実施形態に係る電源連結装置の動作について説明する。
【００３８】
図４は、本発明の第一実施形態に係る電源連結装置において、プラグのフォールディング／アンフォールディング状態を示した図で、仮想線で示したように、前記プラグ端子組立体１５０のフォールディング状態で、該プラグ端子組立体１５０をアンフォールディングさせるためには、まず、使用者は指をフィンガー挿入ホール１１３に入れ、第１端子１５１を上に反らす。この時、前記回動部材１３０の軸溝１３２に軸１５３が回転可能に係止されているために、前記プラグ端子組立体１５０は、前記軸１５３を中心に回転するようになる。次いで、前記プラグ端子組立体１５０が完全に回転する瞬間に前記突起１５５が溝１５４に係止されて前記プラグ端子組立体１５０のアンフォールディング状態が堅固に維持される。
【００３９】
次いで、使用者が前記プラグ端子組立体１５０をつかんで、図４に示したように、時計方向に回すと、前記回動部材１３０はその方向に回転する。この時、前記第１ケース１１０の端子収容溝１１２に対して前記回動部材１３０のスロット１３１の位置がずれるようになる。これと同時に、前記第１接触突起１５３が前記第２接触突起１４１に接触した状態を維持するようになる。
【００４０】
このように、前記プラグ端子組立体１５０がアンフォールディングされた状態で、支持部１２２ａがプラグ端子組立体１５０を支持して該プラグ端子組立体１５０のアンフォールディング状態が堅固に維持される。
【００４１】
一方、図４において実線で示したように、前記プラグ端子組立体１５０のアンフォールディング状態で、該プラグ端子組立体１５０をフォールディングさせるためには、まず、使用者は、使用者が前記プラグ端子組立体１５０をつかんで，図６に示したように、半時計方向に回すと、前記回動部材１３０は、その反対方向に回転する。この時、前記第１ケース１１０の端子収容溝１１３に対して前記回動部材１３０のスロット１３１が一直線に整列する。これと同時に、前記第１接触突起１５３が前記第２接触突起１４１に非接触した状態を維持するようになる。
【００４２】
この状態で、使用者が前記第１端子１５１又は第２端子１５２を下に押すと、この時、前記回動部材１３０の軸溝１３２に前記軸１５３が回転可能に係止されているために、前記プラグ端子組立体１５０は、前記軸１５３を中心に回転するようになる。次いで、前記プラグ端子組立体１５０が完全に回転すると、前記第１端子１５１又は第２端子１５２が前記端子収容溝１１３の中に収容される。
【００４３】
一方、以下、本発明の他の実施形態に係る電源連結装置について説明する。
【００４４】
図５は、本発明の他の実施形態に係る電源連結装置を示した斜視図で、図６は、本発明の他の実施形態に係る電源連結装置を示した分離斜視図で、図７は、図５のＩＩ−ＩＩ線断面図で、図８は、本発明の他の実施形態に係る電源連結装置において、プラグ端子組立体のフォールディング／アンフォールディング状態を示した拡大斜視図である。
【００４５】
本発明の他の実施形態に係る電源連結装置２００においては、図５〜図８に示したように、中間に挿入ホール２１１が形成され、該挿入ホール２１１の内周に複数個の端子収容溝２１３が延長形成される第１ケース２１０と、該第１ケース２１０と結合され、その内部に収容空間２２１を形成し、前記挿入ホール２１１と対応するように内面に環状のボス部２２２が突出形成される第２ケース２２０と、前記第１ケース２１０の挿入ホール２１１の内部に回転可能に設置されて、各端子収容溝２１３と対応するように両側にスロット２３１が形成される回動部材２３０と、印刷回路基板２６０に接続するように前記第２ケース２２０のボス部２２２の両側に設置される接続板２４０と、前記回動部材２３０に挿し込まれて設置され、一方端は接続板２４０に接触し、他方端は前記第１ケース２１０の挿入ホール２１１を貫通して前記第１ケース２１０外部に露出されるプラグ端子組立体２５０と、該プラグ端子組立体２５０を回転可能に支持し得るように前記ボス部２２２の中に設置される端子支持部材２７０と、を含んで構成される。
【００４６】
使用者が前記プラグ端子組立体２５０を便利にフォールディング又はアンフォールディング作動し得るように前記端子収容溝２１１にフィンガー挿入溝２１３が形成されることが好ましい。
【００４７】
以下、前記回動部材２３０の構造について説明すると、前記回動部材２３０が挿入ホール２１１に挿合された状態で、前記第１ケース２１０の外部に抜けないように前記回動部材２３０の外周にフランジ２３３が形成されている。
【００４８】
使用者が前記プラグ端子組立体２３０のフォールディング又はアンフォールディング作動のために前記回動部材２３０を回転させる時、該回動部材２３０の回動角を制限し得るように、即ち、該回動部材２３０を所定角度だけ回転し得るように前記挿入ホール２１１と隣接する前記第１ケース２１０の内面に係止溝２１４が形成されていて、該係止溝２１４と対応するように前記回動部材２３０の外周面にストッパー２３４が形成されている。
【００４９】
また、前記プラグ端子組立体２５０は、前記回動部材２３０の各スロット２３１を貫通して挿し込まれる二つの端子である第１端子２５１、第２端子２５２と、これら第１端子２５１と第２端子２５２とを連結する絶縁体の軸２５３と、から成る。
【００５０】
また、前記第１端子２５１、第２端子２５２の先端に接続突起２５６が形成され、該接続突起２５６と対応するように接続板２４０には多数の接続溝２４１が形成されている。
【００５１】
また、前記プラグ端子組立体２５０のアンフォールディング状態で、前記第１端子２５１、第２端子２５２の接続突起２５６が接続溝２４１に弾力的に接触し、かつ、前記プラグ端子組立体２５０の第１端子２５１、第２端子２５２の先端部が前記第１ケース２１０の挿入ホール２１１を貫通して前記第１ケース２１０の外部に露出されている。
【００５２】
反面、前記プラグ端子組立体２５０のフォールディング状態では、前記第１端子２５１、第２端子２５２の接続突起２５６が前記接続溝２４１に非接触し、前記第１端子２５１、第２端子２５２の先端部が前記第１ケース２１０の端子収容溝２１２に挿入されている。
【００５３】
使用者が前記回動部材２３０を回動させることで、該回動部材２３０の各スロット２３１と第１ケース２１０の各端子収容溝２１２は選択的に一直線に整列し、この時、前記プラグ端子組立体２５０のフォールディングが可能になる。
【００５４】
また、前記ボス部２２２のセンターには軸２２２ａが形成され、該軸２２２ａに対応するように前記端子支持部材２７０のセンターには軸ホール２７１が形成され、前記端子支持部材２７０の両側には、前記プラグ端子組立体２５０の軸２５３が締結される締結リング２７２が形成されている。また、前記ボス部２２２には、前記プラグ端子組立体２５０のアンフォールディング状態を支持する支持部２２２ｂが形成されている。
【００５５】
以下、図５〜図８を参照して本発明の他の実施形態に係る電源連結装置の動作について説明する。
【００５６】
図８は、本発明の他の実施形態に係る電源連結装置において、プラグのフォールディング／アンフォールディング状態を示した図で、仮想線で示したように、プラグのフォールディング状態で、前記プラグ端子組立体２５０をアンフォールディングさせるためには、まず、使用者は、指を前記フィンガー挿入ホール２１３に入れて前記第１端子２５１を上に反らす。この時、前記端子支持部材２７０の締結リング２７２に前記軸２５３が回転可能に締結されているために、前記プラグ端子組立体２５０は前記軸２５３を中心に回転するようになる。
【００５７】
次いで、使用者が前記プラグ端子組立体２５０をつかんで、図８に示したように、時計方向に回すと、回動部材２３０と端子支持部材２７０はその方向に回転する。この時、前記第１ケース２１０の端子収容溝２１３に対して前記回動部材２３０のスロット２３１の位置がずれるようになる。これと同時に、前記接触突起２５６が前記接触溝２４１に弾力的に接触した状態を維持するようになる。ここで、前記ボス部２２２に形成された支持部２２２ｂ、接触溝２４１は、前記プラグ端子組立体２５０のアンフォールディング状態を堅固に維持する役割を果たす。
【００５８】
一方、図８の実線で示したように、前記プラグ端子組立体２５０のアンフォールディング状態で、該プラグ端子組立体２５０をフォールディングさせるためには、まず、使用者は、使用者が該プラグ端子組立体２５０をつかんで、図８に示したように、半時計方向に回すと、前記回動部材２３０はその方向に回転される。この時、前記第１ケース２１０の端子収容溝２１２に対して前記回動部材２３０のスロット２３１が一直線に整列する。これと同時に、前記接触突起２５６が前記接触溝２４１に非接触した状態を維持するようになる。
【００５９】
この状態で、使用者が第１端子２５１又は第２端子２５２を下に押すと、この時、前記端子支持部材２７０の締結リング２７２に前記軸２５３が回転可能に締結されているために、前記プラグ端子組立体２７０は、前記軸２５３を中心に回転するようになる。
【００６０】
次いで、前記プラグ端子組立体２７０が完全に回転すると、前記第１端子２５１又は第２端子２５２が端子収容溝２１２の中に収容される。次いで、前記第１端子２５１又は第２端子２５２が端子収容溝２１２の中に収容されることで、前記電源装置２００をより簡便に、かつ、容易に保管、携帯し得るようになる。
【００６１】
以上のように、本発明の好ましい実施形態を用いて本発明を例示してきたが、本発明は、この実施形態に限定して解釈されるべきものではない。本発明は、特許請求の範囲によってのみその範囲が解釈されるべきであることが理解される。当業者は、本発明の具体的な好ましい実施形態の記載から、本発明の記載および技術常識に基づいて等価な範囲を実施することができることが理解される。
【００６２】
プラグ端子のフォールディング及びアンフォールディング作動が簡単で使用に便利であるだけでなく、プラグ端子のアンフォールディング状態が堅固に維持されて製品に対する信頼性を向上し得る電源連結装置を提供する。
【００６３】
本発明に係る電源連結装置においては、中間に挿入ホールが形成されて、該挿入ホールの内周に複数個の端子収容溝が延長形成される第１ケースと、該第１ケースと結合されて、その内部に収容空間を形成し、前記挿入ホールと対応するように内面にボス部が突出形成される第２ケースと、前記第１ケースの挿入ホールの内部に回転可能に設置され、前記各端子収容溝と対応するように両側にスロットが形成される回動部材と、印刷回路基板に接続するように前記第２ケースのボス部に設置される接続板と、前記回動部材に回動可能に設置されて、一方端は前記接続板に接触し、他方端は前記第１ケースの挿入ホールを貫通して前記第１ケースの外部に露出されるプラグ端子組立体と、を含んで構成されることを特徴とする。
【図面の簡単な説明】
【００６４】
【図１】本発明の第一実施形態に係る電源連結装置を示した斜視図である。
【図２】本発明の第一実施形態に係る電源連結装置を示した分離斜視図である。
【図３】図１のＩ−Ｉ線断面図である。
【図４】本発明の第一実施形態に係る電源連結装置において、プラグ端子組立体のフォールディング／アンフォールディング状態を示した拡大斜視図である。
【図５】本発明の他の実施形態に係る電源連結装置を示した斜視図である。
【図６】本発明の他の実施形態に係る電源連結装置を示した分離斜視図である。
【図７】図５のＩＩ−ＩＩ線断面図である。
【図８】本発明の他の実施形態に係る電源連結装置において、プラグ端子組立体のフォールディング／アンフォールディング状態を示した拡大斜視図である。
【図９】従来の電源連結装置を示した斜視図である。
【図１０】従来の電源連結装置を示した縦断面図である。
【符号の説明】
【００６５】
１１０：第１ケース
１１１：挿入ホール
１１２：端子収容溝
１１４：係止溝
１２０：第２ケース
１２１：収容空間
１２２：ボス部
１３０：回動部材
１３１：スロット
１３３：フランジ
１３４：ストッパー
１４０：接続板
１５０：プラグ端子組立体
１５１：第１端子
１５２：第２端子
１５３：軸
１５４：溝
１５５：突起
１６０：印刷回路基板
【図１】
2006032351.tif 000003
【図２】
2006032351.tif 000004
【図３】
2006032351.tif 000005
【図４】
2006032351.tif 000006
【図５】
2006032351.tif 000007
【図６】
2006032351.tif 000008
【図７】
2006032351.tif 000009
【図８】
2006032351.tif 000010
【図９】
2006032351.tif 000011
【図１０】
2006032351.tif 000012